(57)【要約】【課題】蛍光管の寿命を縮めることなく、画面サイズの大型化を図ることのできる液晶表示装置の提供。【解決手段】少なくとも、長方形状を有する液晶表示パネルと、この液晶表示パネルの背面に配置されるバックライトを有する液晶表示装置であって、前記バックライトは、管軸方向が前記液晶表示パネルの短辺と平行であり、前記液晶表示パネルの長辺側に沿って並設された複数の蛍光管と、これら蛍光管を収容するフレームを備え、前記フレームの各蛍光管との離間距離が、蛍光管の両端で異なる。【選択図】図１
2010014761.tif 000002
【特許請求の範囲】
【請求項１】
少なくとも、長方形状を有する液晶表示パネルと、この液晶表示パネルの背面に配置されるバックライトを有する液晶表示装置であって、
前記バックライトは、管軸方向が前記液晶表示パネルの短辺と平行であり、前記液晶表示パネルの長辺側に沿って並設された複数の蛍光管と、これら蛍光管を収容するフレームを備え、
前記フレームの各蛍光管との離間距離が、蛍光管の両端で異なることを特徴とする液晶表示装置。
【請求項２】
前記液晶表示装置が立てて使用された状態で、前記フレームは、各蛍光管との離間距離が、蛍光管の上端側から下端側にかけて順次大きくなるように構成されていることを特徴とする請求項１に記載の液晶表示装置。
【請求項３】
前記フレームは、前記フレームの各蛍光管との離間距離が、蛍光管の両端で異なる部分と異ならない部分が混在して形成されていることを特徴とする請求項１に記載の液晶表示装置。
【請求項４】
前記フレームの蛍光管との離間距離が異なる部分は、前記蛍光管に重畳する位置に形成され、前記フレームの蛍光管との離間距離が異ならない部分は、前記蛍光管に重畳しない位置に形成されることを特徴とする請求項３に記載の液晶表示装置。
【請求項５】
前記液晶表示装置が立てて使用された状態で、前記フレームは、各蛍光管の下端側に、蛍光管と交差する方向に延在する凹陥部を有することを特徴とする請求項１に記載の液晶表示装置。
【請求項６】
前記蛍光管は、外部電極蛍光管であることを特徴とする請求項１に記載の液晶表示装置。
【請求項７】
前記蛍光管は、冷陰極蛍光管であることを特徴とする請求項１に記載の液晶表示装置。
【請求項８】
水平面に対して立てて用いられる液晶表示装置であって、
少なくとも、長方形状の液晶表示パネルと、この液晶表示パネルの背面に配置されるバックライトを有し、
前記バックライトは、管軸方向が前記液晶表示パネルの短辺と平行であり、前記液晶表示パネルの長辺側に沿って並設された複数の蛍光管と、これら蛍光管を収容するフレームを備え、
前記フレームの各蛍光管を収納する面と反対側の面において、各蛍光管の下端側に、蛍光管と交差する方向に延在する電源回路基板が搭載されていることを特徴とする液晶表示装置。
【請求項９】
水平面に対して立てて用いられる液晶表示装置であって、
少なくとも、長方形状の液晶表示パネルと、この液晶表示パネルの背面に配置されるバックライトを有し、
前記バックライトは、管軸方向が前記液晶表示パネルの短辺と平行であり、前記液晶表示パネルの長辺側に沿って並設された複数の蛍光管と、これら蛍光管を収容するフレームを備え、
前記フレームの各蛍光管を収納する面と反対側の面において、各蛍光管の上端側に、蛍光管と交差する方向に並設される放熱フィンが形成されていることを特徴とする液晶表示装置。
【請求項１０】
水平面に対して立てて用いられる液晶表示装置であって、
少なくとも、長方形状の液晶表示パネルと、この液晶表示パネルの背面に配置されるバックライトを有し、
前記バックライトは、管軸方向が前記液晶表示パネルの短辺と平行であり、前記液晶表示パネルの長辺側に沿って複数の蛍光管と、これら蛍光管を収容するフレームを備え、
前記フレームの各蛍光管を収納する面と反対側の面において、各蛍光管の上端側に、蛍光管と交差する方向に延在される輻射部が形成されていることを特徴とする液晶表示装置。
【請求項１１】
前記フレームの各蛍光管との離間距離が、蛍光管の上端側よりも下端側において大きくなっていることを特徴とする請求項８乃至１０のいずれかに記載の液晶表示装置。
【請求項１２】
前記蛍光管は、外部電極蛍光管であることを特徴とする請求項８乃至１０に記載の液晶表示装置。
【請求項１３】
前記蛍光管は、冷陰極蛍光管であることを特徴とする請求項８乃至１０に記載の液晶表示装置。
【発明の詳細な説明】
【技術分野】
【０００１】
本発明は液晶表示装置に係り、液晶表示パネルの背面に直下型のバックライトを備える液晶表示装置に関する。
【背景技術】
【０００２】
液晶表示パネルは、その各画素において液晶を介した光透過率を独立に制御させるように構成されている。このため、液晶表示パネルの背面にはバックライトを備えるのが通常となっている。
【０００３】
そして、液晶表示装置の大型化にともない、バックライトとして面状光源の均一化が図れるいわゆる直下型のものが使用されてきている。
【０００４】
このようなバックライトは、液晶表示パネルと対向する平面内に並設される複数の蛍光管と、これら蛍光管を支持するフレームとを有し、このフレームの前記蛍光管を支持する面に配置された反射シートを備え構成されている。
【０００５】
また、蛍光管としては、たとえば、冷陰極蛍光管（CCFL: Cold Cathode Fluorescent Lamp）あるいは外部電極蛍光管（EEFL: External Electrode Fluorescent Lamp）等が用いられている。
【０００６】
このような蛍光管は、液晶表示装置を水平面に対して立てて用いるものにあって、その管軸方向を水平方向に一致させ、該管軸方向に直交する方向に各蛍光管を並設（いわゆる横配置）させている。
【０００７】
このような構成からなる液晶表示装置は、たとえば、下記特許文献１に開示がなされている。
【特許文献１】特開２００５−３４７２５９号公報
【発明の開示】
【発明が解決しようとする課題】
【０００８】
上述した構成の液晶表示装置は、たとえばテレビジョン等の表示装置に適用される。近年のテレビジョンは大型化し、液晶表示パネルも更なる大型化が求められている。しかし、蛍光管の長さに制限があることから、その大型化は限界があった。
【０００９】
すなわち、たとえば外部電極蛍光管は、ある電圧以上の電源を供給すると、その電極付近にオゾンが発生する現象が生じ、蛍光管の長さを長く構成しようとした場合に、該オゾンが原因となり点灯電圧が上昇してしまう現象が生じる。
【００１０】
このため、外部電極蛍光管の長尺化には限界を有し、これにともない、液晶表示パネルの画面サイズも３７インチが限界とされていた。
【００１１】
そこで、本発明者等は、各外部電極蛍光管を、その管軸方向が水平方向と直交する方向に一致するようにして、水平方向に並設（いわゆる縦配置）させる試みを行った。このようにした場合、画面の横方向の長さを、外部電極蛍光管の本数を多くすることによって長くでき、画面サイズをより大きくできるからである。
【００１２】
しかし、このように構成した場合、新たな課題が生じるに至った。すなわち、水平面に対して立てて用いられる液晶表示装置にあって、上述のように配置された各外部電極蛍光管は、その管軸方向において、下方よりも上方において温度が高いという温度勾配の生じる環境に配置されることになる。
【００１３】
液晶表示装置では、液晶表示パネルとバックライトのモジュール外装とそれらの間にある空気の熱伝達率の差が、自然対流を発生させ、上述した温度勾配を発生させている。
【００１４】
このため、外部電極蛍光管内の水銀が、温度の低い部分、すなわち、下方に位置づけられる端部に偏ってしまい、外部電極蛍光管の寿命を縮めることになる。
【００１５】
この水銀の偏りについては、外部電極蛍光管のみに限らす、冷陰極蛍光管の場合においても同様である。
【００１６】
本発明の目的は、蛍光管の寿命を縮めることなく、画面サイズの大型化を図ることのできる液晶表示装置を提供することにある。
【課題を解決するための手段】
【００１７】
本発明の液晶表示装置は、バックライトの複数の蛍光管を、その管軸方向が水平方向と直交する方向に一致させるようにして水平方向に並設させ、さらに、各蛍光管の管軸方向における温度差をできるだけ小さくできるようにしたものである。
【００１８】
（１）本発明の液晶表示装置は、たとえば、少なくとも、長方形状を有する液晶表示パネルと、この液晶表示パネルの背面に配置されるバックライトを有する液晶表示装置であって、
前記バックライトは、管軸方向が前記液晶表示パネルの短辺と平行であり、前記液晶表示パネルの長辺側に沿って並設された複数の蛍光管と、これら蛍光管を収容するフレームを備え、
前記フレームの各蛍光管との離間距離が、蛍光管の両端で異なることを特徴とする。
【００１９】
（２）本発明の液晶表示装置は、たとえば、（１）において、前記液晶表示装置が立てて使用された状態で、前記フレームは、各蛍光管との離間距離が、蛍光管の上端側から下端側にかけて順次大きくなるように構成されていることを特徴とする。
【００２０】
（３）本発明の液晶表示装置は、たとえば、（１）において、前記フレームは、前記フレームの各蛍光管との離間距離が、蛍光管の両端で異なる部分と異ならない部分が混在して形成されていることを特徴とする。
【００２１】
（４）本発明の液晶表示装置は、たとえば、（３）において、前記フレームの蛍光管との離間距離が異なる部分は、前記蛍光管に重畳する位置に形成され、前記フレームの蛍光管との離間距離が異ならない部分は、前記蛍光管に重畳しない位置に形成されることを特徴とする。
【００２２】
（５）本発明の液晶表示装置は、たとえば、（１）において、前記液晶表示装置が立てて使用された状態で、前記フレームは、各蛍光管の下端側に、蛍光管と交差する方向に延在する凹陥部を有することを特徴とする。
【００２３】
（６）本発明の液晶表示装置は、たとえば、（１）において、前記蛍光管は、外部電極蛍光管であることを特徴とする。
【００２４】
（７）本発明の液晶表示装置は、たとえば、（１）において、前記蛍光管は、冷陰極蛍光管であることを特徴とする。
【００２５】
（８）本発明の液晶表示装置は、たとえば、水平面に対して立てて用いられる液晶表示装置であって、
少なくとも、長方形状の液晶表示パネルと、この液晶表示パネルの背面に配置されるバックライトを有し、
前記バックライトは、管軸方向が前記液晶表示パネルの短辺と平行であり、前記液晶表示パネルの長辺側に沿って並設された複数の蛍光管と、これら蛍光管を収容するフレームを備え、
前記フレームの各蛍光管を収納する面と反対側の面において、各蛍光管の下端側に、蛍光管と交差する方向に延在する電源回路基板が搭載されていることを特徴とする。
【００２６】
（９）本発明の液晶表示装置は、たとえば、水平面に対して立てて用いられる液晶表示装置であって、
少なくとも、長方形状の液晶表示パネルと、この液晶表示パネルの背面に配置されるバックライトを有し、
前記バックライトは、管軸方向が前記液晶表示パネルの短辺と平行であり、前記液晶表示パネルの長辺側に沿って並設された複数の蛍光管と、これら蛍光管を収容するフレームを備え、
前記フレームの各蛍光管を収納する面と反対側の面において、各蛍光管の上端側に、蛍光管と交差する方向に並設される放熱フィンが形成されていることを特徴とする。
【００２７】
（１０）本発明の液晶表示装置は、たとえば、水平面に対して立てて用いられる液晶表示装置であって、
少なくとも、長方形状の液晶表示パネルと、この液晶表示パネルの背面に配置されるバックライトを有し、
前記バックライトは、管軸方向が前記液晶表示パネルの短辺と平行であり、前記液晶表示パネルの長辺側に沿って複数の蛍光管と、これら蛍光管を収容するフレームを備え、
前記フレームの各蛍光管を収納する面と反対側の面において、各蛍光管の上端側に、蛍光管と交差する方向に延在される輻射部が形成されていることを特徴とする。
【００２８】
（１１）本発明の液晶表示装置は、たとえば、（８）乃至（１０）のいずれかにおいて、前記フレームの各蛍光管との離間距離が、蛍光管の上端側よりも下端側において大きくなっていることを特徴とする。
【００２９】
（１２）本発明の液晶表示装置は、たとえば、（８）乃至（１０）のいずれかにおいて、前記蛍光管は、外部電極蛍光管であることを特徴とする。
【００３０】
（１３）本発明の液晶表示装置は、たとえば、（８）乃至（１０）のいずれかにおいて、前記蛍光管は、冷陰極蛍光管であることを特徴とする。
【００３１】
なお、上記した構成はあくまで一例であり、本発明は、技術思想を逸脱しない範囲内で適宜変更が可能である。また、上記した構成以外の本発明の構成の例は、本願明細書全体の記載または図面から明らかにされる。
【発明の効果】
【００３２】
このように構成した液晶表示装置は、蛍光管の寿命を縮めることなく、画面サイズの大型化を図ることができるようになる。
【００３３】
本発明のその他の効果については、明細書全体の記載から明らかにされる。
【発明を実施するための最良の形態】
【００３４】
本発明の実施例を、図面を参照しながら説明をする。なお、各図および各実施例において、同一または類似の構成要素には同じ符号を付し、説明を省略する。
【００３５】
〈実施例１〉
（全体構成）
図２は、本発明による液晶表示装置の一実施例を示す概略構成図である。
【００３６】
まず、液晶表示パネルＰＮＬ、光学シートＯＳ、およびバックライトＢＬが順次配置されている。
【００３７】
液晶表示パネルＰＮＬは、一対の平行配置されたたとえばガラスからなる基板ＳＵＢ１、ＳＵＢ２を外囲器とし、これら各基板ＳＵＢ１、ＳＵＢ２の間に液晶を挟持して構成されている。
【００３８】
前記基板ＳＵＢ１、ＳＵＢ２の液晶側の面には、マトリックス状に配置された画素（図示せず）が液晶を一構成要素として形成され、これら画素ごとに液晶の光透過率を制御できるようになっている。
【００３９】
そして、これら各画素が形成された領域を液晶表示領域ＡＲ（図中一点鎖線枠内の領域）とし、後述のバックライトＢＬからの光を液晶表示領域ＡＲの全域にわたって照射し、各画素を透過する光を通して観察者に映像を認識させるようになっている。なお、液晶表示領域ＡＲは、図中ｘ方向辺の長さがｙ方向辺の長さよりも長い長方形の領域となっている。
【００４０】
観察者に対して後方に配置された基板ＳＵＢ１はたとえばその図中左側辺および上側辺において基板ＳＵＢ２から露出された部分を有し、これらの部分において、複数の半導体装置ＳＣＤｈ、ＳＣＤｖの一辺部が接続されるようになっている。これら半導体装置ＳＣＤｈ、ＳＣＤｖはいわゆるテープキャリア方式の半導体装置からなり、配線が形成されたフレキシブル基板ＦＢの上面に半導体チップＣＨが搭載されて構成されている。
【００４１】
これら各半導体装置ＳＣＤｈ、ＳＣＤｖは各画素を独立に駆動させる回路からなり、たとえば図中ｙ方向に並設される複数の半導体装置ＳＣＤｖは走査信号駆動回路を構成し、図中ｘ方向に並設される複数の半導体装置ＳＣＤｈは映像信号駆動回路を構成するようになっている。
【００４２】
映像信号駆動回路からなる半導体装置ＳＣＤｈは、基板ＳＵＢ１と接続された辺と対向する他の辺においてプリント基板ＰＣＢが接続され、該プリント基板ＰＣＢを通して外部入力信号が入力されるようになっている。
【００４３】
走査信号駆動回路からなる半導体装置ＳＣＤｖは、その外部入力信号が基板ＳＵＢ１の表面に形成された配線（図示せず）を通して入力されるようになっているため、前記のプリント基板ＰＣＢに相当する基板は備えていない構成となっている。
【００４４】
このように構成された液晶表示パネルＰＮＬの背面には、たとえばプリズムシートおよび拡散シート等の積層体からなる光学シートＯＳを介してバックライトＢＬが配置されている。光学シートＯＳは前記バックライトからの光を拡散や集光を行い液晶表示パネルＰＮＬ側へ導くようになっている。
【００４５】
バックライトＢＬは、いわゆる直下型と称され、液晶表示パネルＰＮＬに対向する内面に光反射シートＲＳを配置させた箱状の枠体（下フレームＤＦＲ）に、複数のたとえば外部電極蛍光管ＥＦＬを並設させた構成からなっている。この場合、各外部電極蛍光管ＥＦＬは、その管軸方向が図中ｘ方向に位置づけられ、ｘ方向に並設されて下フレームＤＦＲに収納されている。これによって、液晶表示パネルＰＮＬの液晶表示領域ＡＲは、そのｘ方向辺の長さを外部電極蛍光管ＥＦＬの管軸方向の長さにほぼ等しくできるとともに、ｙ方向辺の長さを外部電極蛍光管ＥＦＬの並設本数に対応させることができる。したがって、上述のようなバックライトＢＬを用いることにより、画面サイズの大きな液晶表示パネルを適用させることができる。バックライトＢＬのより詳細な構成については後述する。
【００４６】
このような液晶表示パネルＰＮＬ、光学シートＯＳ、およびバックライトＢＬは、該バックライトＢＬの前記下フレームと係合される図示しない上フレーム、および中間フレームによって、モジュール化されるようになっている。
【００４７】
なお、本発明による液晶表示装置は、図３に示すように、水平面に対して立てて用いるようになっており、その際における当該液晶表示装置の液晶表示パネルＰＮＬ、光学シートＯＳ、およびバックライトＢＬの上下方向は、図２に示す液晶表示パネルＰＮＬ、光学シートＯＳ、およびバックライトＢＬの上下方向に対応したものとなっている。このことから、水平面に対して立てられた液晶表示装置内の各外部電極蛍光管ＥＦＬは、その管軸方向が水平方向と直交する方向に一致し水平方向に並設されるような配置関係となる。
【００４８】
（バックライトＢＬ）
図４は、図２からバックライトＢＬのみを抜き出して示した図である。ここで、図４のI（ａ）−I（ａ）線における断面図を図１（ａ）に、I（ｂ）−I（ｂ）線における断面図を図１（ｂ）に示している。なお、図１（ａ）、図１（ｂ）には、それぞれ、バックライトＢＬの他に、液晶表示パネルＰＮＬ、光学シートＯＳをも併せ描いている。
【００４９】
下フレームＤＦＲは、その液晶表示パネルＰＮＬと対向する面（図中ＢＦで示す）が、上方から下方にかけて液晶表示パネルＰＮＬと徐々に間隔を広げるようにして構成されている。一方、外部電極蛍光管ＥＦＬは、液晶表示パネルＰＮＬと平行な平面内に位置づけられ、その両端の各電極ＴＭにおいて、図示せぬ支持電極を介して下フレームＤＦＲの面ＢＦに対して支持されている。なお、前記支持電極は、外部電極蛍光管ＥＦＬにその電極ＴＭを通して電源を供給するための電極を兼ねて構成されている。
【００５０】
このように配置される外部電極蛍光管ＥＦＬは、その上方から下方にかけて、下フレームＤＦＲの面ＢＦとの離間距離が徐々に大きくなっている。すなわち、外部電極蛍光管ＥＦＬの上端の下フレームＤＦＲの面ＢＦとの離間距離をＤｕ、下端の下フレームＤＦＲの面ＢＦとの離間距離をＤｄとした場合、Ｄｕ＜Ｄｄとなっており、外部電極蛍光管ＥＦＬの上端から下端にかけて、下フレームＤＦＲの面ＢＦとの離間距離はＤｕからＤｄへ、徐々に増大するようになっている。
【００５１】
なお、下フレームＤＦＲと外部電極蛍光管ＥＦＬの間には、反射シートＲＳが配置されており、この反射シートＲＳは、そのｘ方向の各辺がそれぞれ、液晶表示パネルＰＮＬ側へ屈曲された屈曲部ＢＮＤを有し、外部電極蛍光管ＥＦＬの電極ＴＭが形成された端部は、前記屈曲部ＢＮＤに形成された孔ＨＬを通して該屈曲部ＢＮＤの背部に位置づけられている。反射シートＲＳの前記屈曲部ＢＮＤは外部電極蛍光管ＥＦＬからの光を液晶表示パネルＰＮＬ側へ反射させる機能を有する。
【００５２】
このように構成されたバックライトＢＬは、それを液晶表示パネルＰＮＬとともに、水平面に立てて用いた場合、外部電極蛍光管ＥＦＬの下側において下フレームＤＦＲの面ＢＦと大きく離間し、この離間空間において空気による断熱効果が外部電極蛍光管ＥＦＬの上側よりも大きくなる。
【００５３】
このため、外部電極蛍光管ＥＦＬの管軸方向において、熱の分布をほぼ均等にでき、下端において特に温度が低くなるという現象の発生を抑制できる。したがって、外部電極蛍光管内の水銀の下端における偏りを回避でき、外部電極蛍光管の寿命を向上させることができる。
【００５４】
〈実施例２〉
図５は、本発明による液晶表示装置の実施例２を説明する図で、図１に対応した図となっている。図５（ａ）は、図４のI（ａ）−I（ａ）線に相当する箇所の断面図であり、図５（ｂ）は、図４のI（ｂ）−I（ｂ）線に相当する箇所の断面図である。図５においては、液晶表示パネルＰＮＬ、光学シートＯＳの描画を省略している。
【００５５】
図１の場合と比較して異なる構成は、下フレームＤＦＲの面ＢＦの形状である。外部電極蛍光管ＥＦＬの直下では、図５（ａ）に示されるように、図１の実施例の場合と同様に、上方から下方にかけて、図示しない液晶表示パネルＰＮＬの面から徐々に間隔を広げるようにして構成されている。そして、外部電極蛍光管ＥＦＬと隣接する他の外部電極蛍光管ＥＦＬとの間の領域では、図５（ｂ）に示されるように、上方から下方にかけて、図示しない液晶表示パネルＰＮＬの面から等間隔となるように構成されている。すなわち、下フレームＤＦＲの外部電極蛍光管ＥＦＬを収容する面には、外部電極蛍光管ＥＦＬの直下において、外部電極蛍光管ＥＦＬの管軸方向に沿った凹陥部が形成され、この凹陥部は外部電極蛍光管ＥＦＬの上側から下側にかけて順次深さが深くなる底面を有して形成されたものとなっている。
【００５６】
この場合においても、各外部電極蛍光管ＥＦＬは、その上方から下方にかけて、下フレームＤＦＲの面ＢＦとの離間距離を徐々に大きくできる。
【００５７】
したがって、実施例１と同様に、外部電極蛍光管ＥＦＬの管軸方向において、熱の分布をほぼ均等にでき、下端において特に温度が低くなるという現象の発生を抑制できる。
【００５８】
〈実施例３〉
図６は、本発明による液晶表示装置の実施例３を説明する図で、図１（ａ）に対応した図となっている。図６においては、液晶表示パネルＰＮＬ、光学シートＯＳの描画を省略している。
【００５９】
図６において、図１（ａ）と比較した場合に異なる構成は、下フレームＤＦＲの下側において、凹陥部ＤＮＴが形成されていることにある。この場合、凹陥部ＤＮＴは、図４に対応して描いた図７に示すように、全ての外部電極蛍光管ＥＦＬと交差するように、図中ｘ方向に延在されて形成されている。なお、図６は、図７のVI−VI線における断面に相当する。
【００６０】
この場合、外部電極蛍光管ＥＦＬの上端の下フレームＤＦＲの面ＢＦとの離間距離をＤｕ、下端の下フレームＤＦＲの面ＢＦとの離間距離をＤｄとした場合、Ｄｕ＜Ｄｄとなる。このため、外部電極蛍光管ＥＦＬの下端部において、下フレームＤＦＲの面ＢＦとの間に比較的大きな離間空間を構成でき、この離間空間において空気による断熱効果を外部電極蛍光管ＥＦＬの上側よりも大きくすることができる。したがって、実施例１の場合と同様の効果を奏する。
【００６１】
〈実施例４〉
図８は、本発明による液晶表示装置の実施例４を説明する図で、図１（ａ）に対応した図となっている。
【００６２】
図８において、図１（ａ）と比較した場合に異なる構成は、まず、下フレームＤＦＲの面ＢＦは液晶表示パネルＰＮＬと平行となるように構成されている。そして、外部電極蛍光管ＥＦＬは、その上端において下フレームＤＦＲの面ＢＦからの離間距離がＤｕ、下端において下フレームＤＦＲの面ＢＦからの離間距離Ｄｄ（＞Ｄｕ）となるように配置されている。
【００６３】
このようにした場合にも、外部電極蛍光管ＥＦＬの下端部において、下フレームＤＦＲの面ＢＦとの間に比較的大きな離間空間を構成でき、この離間空間において空気による断熱効果を外部電極蛍光管ＥＦＬの上側よりも大きくすることができる。したがって、実施例１の場合と同様の効果を奏する。
【００６４】
なお、図８は、下フレームＤＦＲの面ＢＦが液晶表示パネルＰＮＬと平行となるように構成したものである。しかし、たとえば実施例１の場合と同様に、液晶表示パネルＰＮＬと対向する面ＢＦが、上方から下方にかけて液晶表示パネルＰＮＬと徐々に間隔を広げるように構成してもよい。このようにしても、外部電極蛍光管ＥＦＬの下端部において、下フレームＤＦＲの面ＢＦとの間に大きな離間空間を構成できるからである。
【００６５】
〈実施例５〉
図９は、本発明による液晶表示装置の実施例５を説明する図で、図１（ａ）に対応した図となっている。図９においては、液晶表示パネルＰＮＬ、光学シートＯＳを省略して示している。
【００６６】
図９において、図１（ａ）と比較した場合に異なる構成は、まず、下フレームＤＦＲの面ＢＦは液晶表示パネルＰＮＬと平行となるように構成されている。そして、下フレームＤＦＲの下側において、外部電極蛍光管ＥＦＬが配置されている面と反対側の面に、電源回路基板ＰＷＢが搭載されていることにある。この場合、電源回路基板ＰＷＢは、図４に対応して描いた図１０に示すように、全ての外部電極蛍光管ＥＦＬと交差するように、図中ｘ方向に延在されて形成されるのが望ましい。しかし、熱の伝達を考慮し、各外部電極蛍光管ＥＦＬの下端が充分に暖まるのなら、必ずしもこのようにする必要はない。なお、図９は、図１０のIX−IX線における断面に相当する。この電源回路基板ＰＷＢは外部電極蛍光管ＥＦＬを駆動制御するインバータ回路を含んで構成され、外部電極蛍光管ＥＦＬを駆動する際には熱を発する。
【００６７】
このため、外部電極蛍光管ＥＦＬの下端は電源回路基板ＰＷＢによって暖められ、外部電極蛍光管ＥＦＬの上端との温度差を縮めることができ、外部電極蛍光管ＥＦＬの管軸方向において温度分布をほぼ均一化させることができる。したがって、実施例１の場合と同様の効果を奏する。
【００６８】
なお、図９は、下フレームＤＦＲの面ＢＦが液晶表示パネルＰＮＬと平行となるように構成したものである。しかし、たとえば実施例１の場合と同様に、液晶表示パネルＰＮＬと対向する面ＢＦが、上方から下方にかけて液晶表示パネルＰＮＬと徐々に間隔を広げるように構成してもよい。このようにしても、外部電極蛍光管ＥＦＬの下端部において、下フレームＤＦＲの面ＢＦとの間に大きな離間空間を構成できるからである。
【００６９】
〈実施例６〉
図１１は、本発明による液晶表示装置の実施例６を説明する図で、図１（ａ）に対応した図となっている。図１１においては、液晶表示パネルＰＮＬ、光学シートＯＳを省略して示している。
【００７０】
図１１において、図１（ａ）と比較した場合に異なる構成は、まず、下フレームＤＦＲの面ＢＦは液晶表示パネルＰＮＬと平行となるように構成されている。そして、下フレームＤＦＲの上側において、外部電極蛍光管ＥＦＬが配置されている面と反対側の面に、放熱フィンＤＨＦが搭載されていることにある。この放熱フィンＤＨＦは、たとえば下フレームＤＦＲにコ字状の切り欠きを形成することによって形成される舌片を、下フレームＤＦＲ面に垂直になるように起立させたものを複数並設させることによって形成することができる。この場合、放熱フィンＤＨＦは、図４に対応して描いた図１２に示すように、全ての外部電極蛍光管ＥＦＬと交差するように、図中ｘ方向に延在されて形成されるのが望ましい。しかし、熱の伝達を考慮し、各外部電極蛍光管ＥＦＬの上端が充分に冷やされるのなら、必ずしもこのようにする必要はない。なお、図１１は、図１２のXI−XI線における断面に相当する。
【００７１】
このようにした場合、外部電極蛍光管ＥＦＬの上端は放熱フィンＤＨＦによって冷却され、外部電極蛍光管ＥＦＬの下端との温度差を縮めることができ、外部電極蛍光管ＥＦＬの管軸方向において温度分布をほぼ均一化させることができる。したがって、実施例１の場合と同様の効果を奏する。
【００７２】
なお、図１１は、下フレームＤＦＲの面ＢＦが液晶表示パネルＰＮＬと平行となるように構成したものである。しかし、たとえば実施例１の場合と同様に、液晶表示パネルＰＮＬと対向する面ＢＦが、上方から下方にかけて液晶表示パネルＰＮＬと徐々に間隔を広げるように構成してもよい。このようにしても、外部電極蛍光管ＥＦＬの下端部において、下フレームＤＦＲの面ＢＦとの間に大きな離間空間を構成できるからである。
【００７３】
〈実施例７〉
図１３は、本発明による液晶表示装置の実施例７を説明する図で、図１（ａ）に対応した図となっている。図１３においては、液晶表示パネルＰＮＬ、光学シートＯＳを省略して示している。
【００７４】
図１３において、図１（ａ）と比較した場合に異なる構成は、まず、下フレームＤＦＲの面ＢＦは液晶表示パネルＰＮＬと平行となるように構成されている。そして、下フレームＤＦＲの上側において、外部電極蛍光管ＥＦＬが配置されている面と反対側の面に、黒塗装が施された黒塗装部ＢＣＰが形成されていることにある。この黒塗装部ＢＣＰは、図１２において、放熱フィンＤＨＦが形成されている領域に相当する領域に形成されている。
【００７５】
このように形成した場合、黒塗装部ＢＣＰは下フレームＤＦＲの下側と比較し、輻射効率を向上させる効果を奏し、外部電極蛍光管ＥＦＬの下端との温度差を縮めることができる。したがって、外部電極蛍光管ＥＦＬの管軸方向において温度分布をほぼ均一化させることができ、実施例１の場合と同様の効果を奏する。
【００７６】
なお、図１３は、下フレームＤＦＲの面ＢＦが液晶表示パネルＰＮＬと平行となるように構成したものである。しかし、たとえば実施例１の場合と同様に、液晶表示パネルＰＮＬと対向する面ＢＦが、上方から下方にかけて液晶表示パネルＰＮＬと徐々に間隔を広げるように構成してもよい。このようにしても、外部電極蛍光管ＥＦＬの下端部において、下フレームＤＦＲの面ＢＦとの間に大きな離間空間を構成できるからである。
【００７７】
上述した各実施例では、バックライトＢＬの光源として外部電極蛍光管を用いたものを示したが、これに限定されることはなく、たとえば、冷陰極蛍光管であってもよい。
【図面の簡単な説明】
【００７８】
【図１】本発明による液晶表示装置の実施例１を示す断面図である。
【図２】本発明による液晶表示装置の実施例１を示す分解斜視図である。
【図３】本発明による液晶表示装置の実施例１を示す外観図である。
【図４】本発明による液晶表示装置の実施例１のバックライトのみを取り出した平面図である。
【図５】本発明による液晶表示装置の実施例２を示す断面図である。
【図６】本発明による液晶表示装置の実施例３を示す断面図である。
【図７】本発明による液晶表示装置の実施例３を示すバックライトの平面図である。
【図８】本発明による液晶表示装置の実施例４を示す断面図である。
【図９】本発明による液晶表示装置の実施例５を示す断面図である。
【図１０】本発明による液晶表示装置の実施例５を示すバックライトの平面図である。
【図１１】本発明による液晶表示装置の実施例６を示す断面図である。
【図１２】本発明による液晶表示装置の実施例６のバックライトの平面図である。
【図１３】本発明による液晶表示装置の実施例７を示す断面図である。
【符号の説明】
【００７９】
ＰＮＬ……液晶表示パネル、ＳＵＢ１、ＳＵＢ２……基板、ＡＲ……液晶表示領域、ＳＣＤｈ……映像信号駆動回路、ＳＣＤｖ……走査信号駆動回路、ＣＨ……半導体チップ、ＦＢ……フレキシブル基板、ＯＳ……光学シート、ＢＬ……バックライト、ＤＦＲ……下フレーム、ＲＳ……反射シート、ＨＬ……孔、ＢＮＤ……屈曲部、ＥＦＬ……該部電極蛍光管、ＴＭ……電極。
【図１】
2010014761.tif 000003
【図２】
2010014761.tif 000004
【図３】
2010014761.tif 000005
【図４】
2010014761.tif 000006
【図５】
2010014761.tif 000007
【図６】
2010014761.tif 000008
【図７】
2010014761.tif 000009
【図８】
2010014761.tif 000010
【図９】
2010014761.tif 000011
【図１０】
2010014761.tif 000012
【図１１】
2010014761.tif 000013
【図１２】
2010014761.tif 000014
【図１３】
2010014761.tif 000015